(57)【特許請求の範囲】
【請求項１】
吸盤本体（１）と、この吸盤本体（１）に取脱可能に取付けられる取付帯（２）とよりなり、
前記吸盤本体（１）は、吸盤部（１ａ）の背面に、円形の貫通穴である取付穴（１ｃ）を穿設したボス部（１ｂ）を一体に突設して形成され、一方、前記取付帯（２）は、弾性軟質合成樹脂材により偏平な帯状に形成されていて、中間部（２ａ）の基端に抜止め部（２ｂ）を、またその先端に先細り状の差込部（２ｃ）を有して屈撓自在に構成され、さらに、その中間部（２ａ）の横幅寸法は、前記取付穴（１ｃ）の直径よりも幅広の平帯状に形成されており、
前記取付帯（２）を前記取付穴（１ｃ）に挿通して、その抜止め部（２ｂ）を前記ボス部（１ｂ）に係止させ、その中間部（２ａ）をループ状に折り返して線条体（Ａ、Ｃ）を抱え込んだのち、その差込部（２ｃ）を前記取付穴（１ｃ）に抜差可能に差し込み、重なり合う中間部（２ａ）の両縁部を前記取付穴（１ｃ）の内周面に、摩擦保持させたことを特徴とする水槽用吸盤。
【発明の詳細な説明】
【０００１】
【発明の属する技術分野】
本発明は、水槽用吸盤、特に、金魚、熱帯魚、海水魚等の観賞魚の飼育、育成に使用される水槽の壁面に吸着されて、エアチューブ等のチューブやヒーターコード等のコードを保持できるようにした、水槽用吸盤に関するものである。
【０００２】
【従来の技術】
水槽内で、金魚、熱帯魚等の観賞魚を飼育、育成する場合には、一般にエアポンプに接続されるエアチューブ、水中ポンプやヒーターに接続されるコードなどを水槽内に導いて水中に保持するのに、吸盤が用いられる。
【０００３】
このような従来の吸盤は、図５に示すように、吸盤０１の吸盤部分０１ａの背面のボス部０１ｂに取付穴０１ｃがあけられていて、この取付穴０１ｃに、予めエアチューブＡなどを通した後に、その吸盤を水槽Ｖの壁面などに吸着させることにより、そのエアチューブＡを水槽に取付けるようにしている。
【０００４】
【発明が解決しようとする課題】
ところで、図５に示す従来の吸盤では、既に水槽内Ｖにセットしてある、たとえばエアチューブＡは、その両端にエアポンプ、エアストンなどが接続されているため、そのままでは、そのエアチューブＡに吸盤の取付穴０１ｃを通すことができないため、それらのセット後では、エアチューブＡを、新たな吸盤で水槽Ｖの壁面などに取付けることができず、水槽Ｖ内での吸盤によるエアチューブやコードの取付作業や、新しい吸盤との交換作業などが厄介であるという問題がある。
【０００５】
本発明は、かかる実情に鑑みてなされたもので、エアチューブ、電線コードなどの可撓性の線条体を水槽内にセットした後でも、これらの線条体を水槽内に簡単、容易に取付けることができるようにした、新規な水槽用吸盤を提供することを目的とするものである。
【０００６】
【課題を解決するための手段】
前記目的達成のため、本請求項１記載の発明は、吸盤本体と、この吸盤本体に取脱可能に取付けられる取付帯とよりなり、
前記吸盤本体は、吸盤部の背面に、円形の貫通穴である取付穴を穿設したボス部を一体に突設して形成され、一方、前記取付帯は、弾性軟質合成樹脂材により偏平な帯状に形成されていて、中間部の基端に抜止め部を、またその先端に先細り状の差込部を有して屈撓自在に構成され、さらに、その中間部の横幅寸法は、前記取付穴の直径よりも幅広の平帯状に形成されており、
前記取付帯を前記取付穴に挿通して、その抜止め部を前記ボス部に係止させ、その中間部をループ状に折り返して線条体を抱え込んだのち、その差込部を前記取付穴に抜差可能に差し込み、重なり合う中間部の両縁部を前記取付穴の内周面に、摩擦保持させたことを特徴としており、かかる特徴によれば、エアチューブ、電線コードなどの可撓性の線条体を、エアポンプ、ヒータなどの接続機器から外さずに水槽内に配置したままで、またその線条体に吸盤を通さないで、その線条体に吸盤を取付けることができるので、その吸盤による、線条体の水槽への吸着セットを簡単、容易に行うことができる。また、線条体の太さに違いがあっても何らの支承もなく線条体に吸盤を取付けることができる。
【０００７】
また、取付帯を、吸盤本体の取付穴に確実に摩擦保持することができ、しかも取付帯の、取付穴への抜差操作が容易である。
【０００８】
【発明の実施の形態】
以下、本発明の実施の形態を、添付図面に示した本発明の実施例に基づいて説明する。
【０００９】
図１〜４は、本発明の一実施例を示し、図１は、本発明水槽用吸盤を使用した状態を示す水槽の一部斜視図、図２は、図１の２矢視拡大図、図３は、図２の３−３線に沿う拡大断面図、図４は、その吸盤の使い方を示す斜視図である。
【００１０】
本発明にかかる水槽用吸盤Ｓは、吸盤本体１と、この吸盤本体１に取脱可能に取付けられる取付帯２とより構成されている。
【００１１】
前記吸盤本体１は、軟質塩化ビニール等の、弾性軟質合成樹脂材により形成されていて、碗状の吸盤部１ａの背面中央部にボス部１ｂが一体に突設されており、このボス部１ｂの側面には、その対向両側面に貫通する、円形の取付穴１ｃが穿設されている。また、吸盤本体１の背面の周縁部には、通し穴を開口した撮み１ｄが一体に突設されている。
【００１２】
一方、前記取付帯２は、軟質ポリエチレン板などの弾性軟質合成樹脂板の打ち抜き加工により偏平な帯状に形成され、細長い平帯状の中間部２ａの基端に、吸盤本体１の取付穴１ｃの直径よりも横方向に長い抜止め部２ｂが、またその先端に先細り状の差込部２ｃが一体に形成されている。そして、前記中間部２ａの横幅寸法は、吸盤本体１の取付穴１ｃの直径よりも若干長い寸法に形成されていて、後に述べるように、取付帯２をその取付穴１ｃに挿通したとき、吸盤本体１の弾性により、この吸盤本体１に取付帯２が摩擦保持されるようになっている。
【００１３】
つぎに、図４を参照して、吸盤Ｓに、可撓性の線条体として、たとえばエアチューブＡを取付ける手順について説明する。
【００１４】
まず、図４（Ａ）に示すように、吸盤本体１の取付穴１ｃに、取付帯２を、その差込部２ｃ側から差し込んで移動させ、図４（Ｂ）に示すように、取付帯２の基端の抜止め部２ｂをボス部１ｂの外側面に係合させる。
【００１５】
つぎに、図４（Ｃ）に示すように、取付帯２の中間部２ａをループ状に折り返してエアチューブＡを抱え込んだのち、その差込部２ｃを、その基端部と重なり合うようにして取付穴１ｃに差し込めば、この取付帯２は、吸盤本体１の取付穴１ｃに摩擦保持され、図４（Ｄ）に示すように、吸盤本体１に、取付帯２をもってエアチューブＡを取付けることができる。そして、エアチューブＡの太さが違っていても、支障なくその取付けが可能になる。
【００１６】
図１は、ヒータＨの接続された、可撓性の線条体としての電線コードＣを、本発明にかかる、吸盤Ｓを用いて水槽Ｖの壁面に取付けた場合が示されており、この吸盤Ｓによれば、ヒータＨを水槽Ｖ内にセットした後でも、そこから延びる電線コードＣを水槽Ｖ内の所望の位置に取付けることができる。
【００１７】
以上、本発明の実施例について説明したが、本発明はその実施例に限定されることなく、本発明の範囲内で種々の実施例が可能である。
【００１８】
【発明の効果】
以上のように本請求項１記載の発明は、吸盤本体と、この吸盤本体に取脱可能に取付けられる取付帯とよりなり、吸盤本体は、吸盤部の背面に取付穴を穿設したボス部を一体に突設して形成され、一方前記取付帯は、帯状の中間部の基端に抜止め部を、またその先端に差込部を有して屈撓自在に形成され、前記取付帯は、その抜止め部を前記ボス部に係止させると共にその中間部を折り返して、その差込部を前記取付穴に抜差可能に摩擦保持できるようにしたので、エアチューブ、電線コードなどの可撓性の線条体を、エアポンプ、ヒータなどの接続機器から外さずに水槽内に配置したままで、またその線条体に吸盤を通さないで、その線条体に吸盤を取付けることができ、よってその吸盤による、線条体の水槽への吸着セットを簡単、容易に行うことができる。また、線条体の太さに違いがあっても何らの支承もなく線条体に吸盤を取付けることができる。
【００１９】
また、取付帯を、吸盤本体の取付穴に確実に摩擦保持することができ、しかも取付帯の、取付穴への抜差操作が容易である。
【図面の簡単な説明】
【図１】  本発明水槽用吸盤を使用した状態を示す水槽の一部斜視図
【図２】  図１の２矢視拡大図
【図３】  図２の３−３線に沿う拡大断面図
【図４】  その吸盤の使い方を示す斜視図
【図５】  従来の吸盤の斜視図
【符号の説明】
１・・・・・・・・吸盤本体
１ａ・・・・・・・吸盤部
１ｂ・・・・・・・ボス部
１ｃ・・・・・・・取付穴
２・・・・・・・・取付帯
２ａ・・・・・・・中間部
２ｂ・・・・・・・抜止め部
２ｃ・・・・・・・差込部
Ａ・・・・・・・・線条体（エアチューブ）
Ｃ・・・・・・・・線条体（コード）
【図１】
0004625172.tif 000002
【図２】
0004625172.tif 000003
【図３】
0004625172.tif 000004
【図４】
0004625172.tif 000005
【図５】
0004625172.tif 000006